(57)【特許請求の範囲】
【請求項１】
中空状に形成された弾性変形可能な収容室、を有する本体を備え、
上記本体の外面の少なくとも一部は、ゴム製の掻き集め部として構成されており、
上記収容室には、内外に貫通するスリットが形成されていることを特徴とする、清掃具。
【請求項２】
上記収容室は、外面が凸状に膨らむ膨出部を有し、
上記スリットは、上記膨出部に形成されている、請求項１に記載の清掃具。
【請求項３】
上記膨出部は、半球状に形成された半球状部分を含み、
上記スリットは、上記半球状部分の頂点を通る円弧に沿って形成される、請求項２に記載の清掃具。
【請求項４】
上記掻き集め部は、清掃対象面に対して所定長さにわたって接触しうる、請求項１ないし３のいずれかに記載の清掃具。
【請求項５】
上記掻き集め部は、円錐状に形成された円錐状部分を含む、請求項４に記載の清掃具。
【請求項６】
上記掻き集め部は、天然ゴムを主成分として含む、請求項１ないし５のいずれかに記載の清掃具。
【発明の詳細な説明】
【技術分野】
【０００１】
本発明は、カーペットなどの清掃対象面に付着したペットの抜け毛等を清掃するための清掃具に関する。
【背景技術】
【０００２】
ペットの抜け毛等を清掃するための道具として、粘着テープをロール状に巻いた清掃具（以下、粘着ローラという）が知られている。粘着ローラによれば、カーペット等の清掃対象面の上で転がすことにより、当該清掃対象面に付着した抜け毛等のゴミを、粘着テープに付着させて除去することができる。しかしながら、粘着テープにゴミが付着すると、当該粘着テープの粘着力が低下するので、ローラ表面の粘着テープを剥がして新たな粘着テープの表面を露出させることにより、粘着力を回復させる必要がある。したがって粘着ローラの場合には、清掃を行う度に剥がした粘着テープの分だけ、廃棄すべきゴミが増えてしまう。
【０００３】
これに対し、特許文献１には、ゴム含有物（ゴム製）からなる清掃具について記載されている。特許文献１に記載された清掃具によれば、当該清掃具を清掃対象面に擦ることにより、ペットの抜け毛を掻き集めることができる。しかしながら、特許文献１に記載された清掃具においては、掻き集めた抜け毛をその都度捨てる必要があるので、煩わしい作業となっていた。
【先行技術文献】
【特許文献】
【０００４】
【特許文献１】特開２００１−３４６７４５号公報
【発明の概要】
【発明が解決しようとする課題】
【０００５】
本発明は、このような事情のもとで考え出されたものであって、ペットの抜け毛等を効率よく清掃するのに適したゴム製の清掃具を提供することを課題とする。
【課題を解決するための手段】
【０００６】
上記の課題を解決するため、本発明では、次の技術的手段を講じている。
【０００７】
本発明によって提供される清掃具は、中空状に形成された弾性変形可能な収容室、を有する本体を備え、上記本体の外面の少なくとも一部は、ゴム製の掻き集め部として構成されており、上記収容室には、内外に貫通するスリットが形成されていることを特徴としている。
【０００８】
本発明の好ましい実施の形態においては、上記収容室は、外面が凸状に膨らむ膨出部を有し、上記スリットは、上記膨出部に形成されている。
【０００９】
本発明の好ましい実施の形態においては、上記膨出部は、半球状に形成された半球状部分を含み、上記スリットは、上記半球状部分の頂点を通る円弧に沿って形成される。
【００１０】
本発明の好ましい実施の形態においては、上記掻き集め部は、清掃対象面に対して所定長さにわたって接触しうる。
【００１１】
本発明の好ましい実施の形態においては、上記掻き集め部は、円錐状に形成された円錐状部分を含む。
【００１２】
本発明の好ましい実施の形態においては、上記掻き集め部は、天然ゴムを主成分として含む。
【００１３】
本発明のその他の特徴および利点は、添付図面を参照して以下に行う詳細な説明によって、より明らかとなろう。
【図面の簡単な説明】
【００１４】
【図１】本発明に係る清掃具の一例を示す斜視図である。
【図２】図１に示す清掃具を立てた状態の側面図である。
【図３】図２のＩＩＩ−ＩＩＩ線に沿う断面図である。
【図４】図３のＩＶ−ＩＶ線に沿う断面図である。
【図５】図１に示す清掃具の使用状態の一例を示す斜視図である。
【図６】図１に示す清掃具の使用状態の一例を示す側面図である。
【図７】図１に示す清掃具の使用状態の一例を示す斜視図である。
【図８】本発明に係る清掃具の他の例を示す斜視図である。
【図９】図８に示す清掃具の側面図である。
【図１０】図９のＸ−Ｘ線に沿う断面図である。
【図１１】本発明に係る清掃具の他の例を示す図１０と同様の断面図である。
【図１２】本発明に係る清掃具の他の例を示す斜視図である。
【図１３】図１２のＸＩＩＩ−ＸＩＩＩ線に沿う断面図である。
【発明を実施するための形態】
【００１５】
以下、本発明の好ましい実施の形態について、図面を参照して具体的に説明する。
【００１６】
図１〜図４は、本発明に係る清掃具の一例を示している。図１および図２に表れているように、本実施形態の清掃具Ａ１は、全体として涙型の外観形状を呈し、ペットの抜け毛等を清掃するためのものである。図３および図４に表れているように、清掃具Ａ１は、中空状の収容室１０を有する本体１を備えている。本実施形態では、本体１の全体が中空状となっており、本体１全体により収容室１０を構成している。
【００１７】
本体１（収容室１０）は、その全体が略一定の厚みを持ち、たとえば天然ゴムなどの弾性ゴム（ゴム材料）によって一体形成されたものである。本体１を構成するゴム材料としては、特に限定されるものではなく、また、必要に応じて顔料や帯電防止剤などの添加剤を混入してもよい。このゴム製の本体１（収容室１０）は、弾性変形可能となっている。詳細は後述するが、本体１の外面の少なくとも一部は、ゴム製の掻き集め部１１として構成されている。また、収容室１０には、スリット１２が形成されている。
【００１８】
収容室１０は、膨出部１０１と、この膨出部１０１につながるコーン状部１０２とを備えて構成される。膨出部１０１は、外面が凸状に膨らんだ形状をしており、どの断面をとっても凸となっている部分である。本実施形態では、膨出部１０１は、半球状に形成されており、この膨出部１０１にスリット１２が形成されている。スリット１２は、半球状部分をなす膨出部１０１の頂点を通過する円弧に沿って形成されている。
【００１９】
コーン状部１０２は、円錐状に形成されており、本実施形態では、このコーン状部１０２の外面が、掻き集め部１１とされている。掻き集め部１１は、その表面粗さが適度な範囲となるように形成されており、触ると適度なザラザラ感を有する。
【００２０】
清掃具Ａ１の各部の寸法の一例を挙げると、本体１（収容室１０）の厚さが４ｍｍ程度、膨出部１０１（半球状部分）の外径（半径寸法）が３０ｍｍ程度、コーン状部１０２の高さが５５ｍｍ程度である。自然状態におけるスリット１２の開口幅が２．５ｍｍ程度である。
【００２１】
上記構成の清掃具Ａ１の製造は、たとえば中子型を利用した射出成形により行う。ここで、射出成形用金型のキャビティ面は、シボ加工が施されており、適度な表面粗さを有する。このような金型を用いて製造される清掃具Ａ１においては、掻き集め部１１は、その表面が適度なザラザラ感を有するものとなる。
【００２２】
次に、上記構成の清掃具Ａ１の作用について説明する。
【００２３】
この清掃具Ａ１を用いて清掃を行う際には、まず、図５および図６に表れているように、ゴム製の掻き集め部１１でカーペットなどの清掃対象面Ｓを擦ることにより、清掃対象面Ｓに付着した猫等のペットの抜け毛を掻き集める。ここで、掻き集め部１１は、円錐状のコーン状部１０２に形成されている。このため、掻き集め部１１をなす円錐面の母線に相当する直線状部分１１ａを清掃対象面Ｓに押し付けることにより、掻き集め部１１は、当該清掃対象面Ｓに対して所定長さにわたって直線状に接触する。このような構成によれば、清掃対象面Ｓ上において、直線状部分１１ａと略垂直な方向（図６では紙面の垂直方向）に清掃具Ａ１を移動させることにより、過度な接触抵抗が生じるのを回避しつつ、直線状部分１１ａの移動範囲の抜け毛を掻き集めることができる。したがって、本実施形態の清掃具Ａ１によれば、ペットの抜け毛を効率よく掻き集めることができる。
【００２４】
掻き集め部１１は、その表面粗さが適度な範囲となるように形成されており、適度なザラザラ感を有する。このような構成によれば、掻き集め部１１によってペットの抜け毛を掻き集めるとき、適度な摩擦によって当該抜け毛が毛玉状に丸められる。したがって、上記構成の清掃具Ａ１は、ペットの抜け毛を効率よく集めるうえで好ましい。また、天然ゴムは摩擦帯電が生じ難い材質であるので、天然ゴムを主成分とするゴム材料によって掻き集め部１１を構成すれば、抜け毛を掻き集める際に、静電気の作用により掻き集め部１１に抜け毛が付着するのを防止することができる。このことは、ペットの抜け毛を効率よく集めるうえで好ましい。
【００２５】
本実施形態において、本体１（収容室１０）は、外面に凸状に膨らんだ膨出部１０１を有する。抜け毛を掻き集める作業時には、膨出部１０１が手にフィットしやすいので、作業性に優れる。
【００２６】
膨出部１０１には、スリット１２が形成されている。このため、スリット１２の両端付近を挟むように押さえると、図７に表れているように、膨出部１１が弾性変形するとともに、スリット１２についてもその開口幅が広がるように変形する。このように開口幅が広げられたスリット１２から、上記のように掻き集めた抜け毛を収容室１０の内部に入れる。その後、スリット１２両端の押圧力を解放すると、膨出部１１およびスリット１２が元の形状に戻り、収容室１０の内部に抜け毛を保持させることができる。なお、上記のようにスリット１２の開口幅を広げつつ、当該スリット１２によって清掃対象面Ｓ上の毛玉状の抜け毛を囲い、その後、スリット１２両端の押圧力を解放すると、スリット１２が元の形状に戻るとともに、毛玉状の抜け毛が収容室１０の内部に取り込まれる。このような操作によれば、集めた抜け毛（ゴミ）に手を触れることなく収容室１０内にゴミを保持させることができる。引き続き、掻き集め部１１で清掃対象面Ｓを擦ることにより抜け毛を掻き集め、当該掻き集めた抜け毛を、上記のように変形したスリット１２を通じて収容室１０の内部に入れて保持させる。そして、清掃終了後には、収容室１０の内部に溜まった抜け毛は、再び上記のようにしてスリット１２の開口幅を広げることにより、ゴミ箱等にまとめて捨てることができる。したがって、本実施形態の清掃具Ａ１によれば、掻き集めた抜け毛を、その都度捨てることなく一旦収容室１０内に保持させておくことができるので、清掃作業を効率よく行うことができる。
【００２７】
本実施形態では、スリット１２は、半球状部分をなす膨出部１０１の頂点を通る円弧に沿って形成されている。このような構成によれば、スリット１２の開口幅を広げやすく、当該スリット１２を通じて抜け毛の出し入れを容易に行うことができる。
【００２８】
図８〜図１３は、本発明に係る清掃具の他の例を示している。なお、これらの図においては、上記実施形態と同一または類似の要素には、上記実施形態と同一の符号を付しており、適宜説明を省略する。
【００２９】
図８〜図１０に表された清掃具Ａ２は、本体１（収容室１０）の構成が上記実施形態と異なっている。本実施形態の清掃具Ａ２は、全体として砲弾型の外観形状を呈し、本体１（収容室１０）は、半球状の膨出部１０１と、この膨出部１０１につながる円筒状部１０３とを備えて構成されている。膨出部１０１およびスリット１２の構成は、上記実施形態と同様である。本実施形態では、円筒状部１０３の外面が掻き集め部１１とされている。
【００３０】
清掃具Ａ２を用いて清掃を行う際には、掻き集め部１１をなす円筒外面の中心軸と平行な直線状部分を清掃対象面に押し付けることにより、掻き集め部１１は、当該清掃対象面に対して所定長さにわたって直線状に接触する。本実施形態の清掃具Ａ２によれば、上記実施形態の清掃具Ａ１に関して上述したのと同様の効果を奏することができる。
【００３１】
図１１に表された清掃具Ａ３は、本体１の構成が上記実施形態と異なっている。本実施形態において、本体１は、半球状の膨出部１０１と、この膨出部１０１につながる円筒状部１０４とを備えている。膨出部１０１と円筒状部１０４との間には、区画壁１０５が設けられており、膨出部１０１および区画壁１０５により中空状の収容室１０が構成される。円筒状部１０４の内部には、たとえば木製などの軽量な充填物１０６が嵌め込まれている。膨出部１０１およびスリット１２の構成は、上記実施形態と同様である。本実施形態では、円筒状部１０４の外面が掻き集め部１１とされている。
【００３２】
清掃具Ａ３を用いて清掃を行う際には、掻き集め部１１をなす円筒外面の中心軸と平行な直線状部分を清掃対象面に押し付けることにより、掻き集め部１１は、当該清掃対象面に対して所定長さにわたって直線状に接触する。本実施形態の清掃具Ａ３によれば、上記実施形態の清掃具Ａ１に関して上述したのと同様の効果を奏することができる。
【００３３】
また、本実施形態の清掃具Ａ３は、円筒状部１０４の内部に充填物１０６が詰め込まれている。このため、掻き集め部１１（円筒状部１０４の外面）を清掃対象面に押し付けるときに、当該円筒状部１０４が不当に変形するのを防止することができる。
【００３４】
図１２および図１３に表された清掃具Ａ４は、本体１の構成が上記実施形態と異なっている。本実施形態において、本体１は、半球状の膨出部１０１と、この膨出部１０１の端部を塞ぐ底壁部１０７とを備えている。膨出部１０１および底壁部１０７により中空状の収容室１０が構成される。膨出部１０１およびスリット１２の構成は、上記実施形態と同様である。本実施形態では、膨出部１０１の外面と底壁部１０７の外面との境界のエッジ（稜線）が掻き集め部１１とされている。清掃具Ａ４を用いて清掃を行う際には、掻き集め部１１をなす上記エッジで清掃対象面を擦ることにより、清掃対象面に付着した抜け毛を掻き集める。
【００３５】
以上、本発明の具体的な実施形態を説明したが、本発明はこれに限定されるものではなく、発明の思想から逸脱しない範囲内で種々な変更が可能である。本発明に係る清掃具の各部の具体的な形状や材質なども、上記実施形態に限定されるものではない。
【００３６】
上記実施形態では、収容室１０を構成する膨出部１０１が半球状である場合について説明したが、膨出部の形状はこれに限定されない。また、収容室については、膨出部を具備しない構成とすることもできる。
【００３７】
上記した清掃具Ａ１において、円錐状のコーン状部１０２の外面が掻き集め部１１とされる場合を例に挙げたが、円錐状の外面に代えて角錐状の外面を設け、この角錐状外面の稜線部分を掻き集め部として構成してもよい。
【００３８】
スリットの形状についても上記実施形態に限定されるものではなく、たとえば波形状に形成してもよい。また、上記実施形態において、スリットは、自然状態において所定の開口幅を有する構成であったが、本発明のスリットとしては、自然状態において開口幅を有さない密着状の切れ込みであってもよい。
【００３９】
なお、上記した清掃具はゴム製であるため、様々な形状をとることができ、比較的容易に変形可能である。このため、上記清掃具はペットの遊び道具として用いることもできる。
【符号の説明】
【００４０】
Ａ１，Ａ２，Ａ３，Ａ４    清掃具
Ｓ          清掃対象面
１          本体
１０        収容室
１１        掻き集め部
１２        スリット
１０１      膨出部
１０２      コーン状部
１０３，１０４    円筒状部
１０５      区画壁
１０６      充填物
１０７      底壁部
【図１】
0005823885.tif 000002
【図２】
0005823885.tif 000003
【図３】
0005823885.tif 000004
【図４】
0005823885.tif 000005
【図５】
0005823885.tif 000006
【図６】
0005823885.tif 000007
【図７】
0005823885.tif 000008
【図８】
0005823885.tif 000009
【図９】
0005823885.tif 000010
【図１０】
0005823885.tif 000011
【図１１】
0005823885.tif 000012
【図１２】
0005823885.tif 000013
【図１３】
0005823885.tif 000014